(57)【要約】【課題】例えば、高い画質を維持し、また高光密度を有する特に相変化インクに使用可能なマゼンタ着色剤を提供する。【解決手段】着色剤化合物は、上記化１から化５で表される着色剤化合物であって、例えば、次の式で表される着色剤化合物である。2008189930.tif 000062【選択図】なし【特許請求の範囲】
【請求項１】
式
【化１】
2008189930.tif 000053
【化２】
2008189930.tif 000054
【化３】
2008189930.tif 000055
【化４】
2008189930.tif 000056
【化５】
2008189930.tif 000057
で表され、
Ｒ１、Ｒ２、Ｒ３およびＲ４は、それぞれ互いに独立に、（ｉ）水素原子、（ｉｉ）アルキル基、（ｉｉｉ）アリール基、（ｉｖ）アリールアルキル基、または（ｖ）アルキルアリール基であり、Ｒ１とＲ２とは一緒になって環を形成してよく、Ｒ３とＲ４とは一緒になって環を形成してよく、Ｒ１、Ｒ２、Ｒ３およびＲ４は、それぞれ中心構造部分のフェニル環に結合してよく、ａおよびｂは、それぞれ互いに独立に、０、１、２または３の整数であり、
Ｒ５およびＲ６は、それぞれ任意選択として存在し、存在する場合、Ｒ５およびＲ６は、それぞれ互いに独立に、（ｉ）アルキル基、（ｉｉ）アリール基、（ｉｉｉ）アリールアルキル基、（ｉｖ）アルキルアリール基、（ｖ）ハロゲン原子、（ｖｉ）エステル基、（ｖｉｉ）アミド基、（ｖｉｉｉ）スルホン基、（ｉｘ）アミン基またはアンモニウム基、（ｘ）ニトリル基、（ｘｉ）ニトロ基、（ｘｉｉ）ヒドロキシ基、（ｘｉｉｉ）シアノ基、（ｘｉｖ）ピリジン基またはピリジニウム基、（ｘｖ）エーテル基、（ｘｖｉ）アルデヒド基、（ｘｖｉｉ）ケトン基、（ｘｖｉｉｉ）カルボニル基、（ｘｉｘ）チオカルボニル基、（ｘｘ）サルフェート基、（ｘｘｉ）スルフィド基、（ｘｘｉｉ）スルホキシド基、（ｘｘｉｉｉ）ホスフィン基またはホスホニウム基、（ｘｘｉｖ）ホスフェート基、（ｘｘｖ）メルカプト基、（ｘｘｖｉ）ニトロソ基、（ｘｘｖｉｉ）アシル基、（ｘｘｖｉｉｉ）酸無水物基、（ｘｘｉｘ）アジド基、（ｘｘｘ）アゾ基、（ｘｘｘｉ）シアナート基、（ｘｘｘｉｉ）イソシアナート基、（ｘｘｘｉｉｉ）チオシアナート基、（ｘｘｘｉｖ）イソチオシアナート基、（ｘｘｘｖ）ウレタン基または（ｘｘｘｖｉ）尿素基から独立に選択され、Ｒ５およびＲ６は、それぞれ中心構造部分のフェニル環に結合してよく、
【化６】
2008189930.tif 000058
であり、
Ｒ８、Ｒ９およびＲ１０は、それぞれ互いに独立に、任意選択として存在し、存在する場合、Ｒ８、Ｒ９およびＲ１０は、それぞれ独立に、（ｉ）水素原子、（ｉｉ）アルキル基、（ｉｉｉ）アリール基、（ｉｖ）アリールアルキル基または（ｖ）アルキルアリール基から選択され、
Ｒ″は、任意選択として存在し、存在する場合、Ｒ′およびＲ″は、それぞれ独立に、（ｉ）アルキル基、（ｉｉ）アリール基、（ｉｉｉ）アリールアルキル基または（ｉｖ）アルキルアリール基から選択され、
Ｒ′またはＲ″の少なくとも１つは、少なくとも約５個の炭素原子を含む、
化合物。
【請求項２】
式
【化７】
2008189930.tif 000059
で表される化合物。
【請求項３】
式
【化８】
2008189930.tif 000060
で表される化合物。
【請求項４】
式
【化９】
2008189930.tif 000061
で表され、
ｎは７である、
化合物。
【発明の詳細な説明】
【技術分野】
【０００１】
本開示は、全体として、ホットメルトインクまたは相変化インクに用いるのに特に適する着色剤化合物に関する。
【背景技術】
【０００２】
一般に、相変化インク（「ホットメルトインク」と呼ぶこともある）は、常温では固体であるが、インクジェット印刷デバイスが動作する高温では液体として存在する。ジェットの動作温度で、液体インクの液滴が印刷デバイスから放出される。インク液滴が記録基体の表面と接触すると、直接接触する場合でも、中間に加熱転写ベルトまたはドラムを介する場合でも、インク液滴は急速に固化して予め定められた固化インク滴のパターンを形成する。相変化インクは、グラビア印刷法など、他の印刷技術においても用いられてきた。
【０００３】
一般に、カラー印刷用の相変化インクは、相変化インクキャリア組成物を含み、この組成物を、相変化インクに適合する着色剤と調合する。特定の実施態様では、インクキャリア組成物を、適合する減法型原色着色剤と調合することによって、一連の着色済み相変化インクを形成させてよい。減法型原色着色相変化インクは、４つの成分染料、すなわちシアン、マゼンタ、イエローおよびブラックを含んでよいが、インクは、これらの４色に限定されない。これらの減法型原色インクは、単一の染料を用いて形成させてよく、あるいは、染料の混合物を用いて形成させてよい。例えば、ソルベントレッド系染料の混合物を用いてマゼンタを得てよく、あるいは、いくつかの染料を混合して、コンポジットブラックを得てよい。使用する減法型原色着色剤は、カラーインデックス（Ｃ．Ｉ．）にある溶剤染料、分散染料、変性酸性染料および直接染料ならびに塩基性染料の種類に属する染料を含んでよい。着色剤は、顔料も含んでよい。
【０００４】
相変化インクは、輸送、長期貯蔵等の間、室温で固体として保持されるのでインクジェットプリンタにとって望ましい。さらに、液体インクジェットインクの場合にインク蒸発の結果起るノズル閉塞による問題がほとんどなく、その結果、インクジェット印刷法の信頼性を高める。さらに、インク液滴を最終記録基材（例えば紙、透明部材（例えばＯＨＰシート）および類似物）上に直接塗布する相変化インクジェットプリンタの場合、液滴は、基材と接触すると直ちに固化するので、印刷媒体上のインクの移動がなく、ドット品質が向上する。
【０００５】
相変化インクキャリア組成物として用いるのに適する組成物が知られている。適当なキャリア材料は、パラフィン、微結晶ワックス、ポリエチレンワックス、エステルワックス、脂肪酸およびその他のワックス系材料、脂肪酸アミド含有材料、スルホンアミド材料、さまざまな天然資源から作られる樹脂材料（例えばトール油ロジンおよびロジンエステル）ならびに多くの合成樹脂、オリゴマー、重合体および共重合体を含んでよい。
【０００６】
【特許文献１】米国特許第４，８５１，０４５号
【特許文献２】米国特許第４，８８９，５６０号
【特許文献３】米国特許第４，８８９，７６１号
【発明の開示】
【発明が解決しようとする課題】
【０００７】
例えば、高い画質を維持し、また高光密度を有する特に相変化インクに使用可能なマゼンタ着色剤が望まれていた。
【課題を解決するための手段】
【０００８】
本発明の着色剤化合物は、式
【化１】
2008189930.tif 000002
【化２】
2008189930.tif 000003
【化３】
2008189930.tif 000004
【化４】
2008189930.tif 000005
【化５】
2008189930.tif 000006
で表され、
Ｒ１、Ｒ２、Ｒ３およびＲ４は、それぞれ互いに独立に、（ｉ）水素原子、（ｉｉ）アルキル基、（ｉｉｉ）アリール基、（ｉｖ）アリールアルキル基、または（ｖ）アルキルアリール基であり、Ｒ１とＲ２とは一緒になって環を形成してよく、Ｒ３とＲ４とは一緒になって環を形成してよく、Ｒ１、Ｒ２、Ｒ３およびＲ４は、それぞれ中心構造部分のフェニル環に結合してよく、ａおよびｂは、それぞれ互いに独立に、０、１、２または３の整数であり、
Ｒ５およびＲ６は、それぞれ任意選択として存在し、存在する場合、Ｒ５およびＲ６は、それぞれ互いに独立に、（ｉ）アルキル基、（ｉｉ）アリール基、（ｉｉｉ）アリールアルキル基、（ｉｖ）アルキルアリール基、（ｖ）ハロゲン原子、（ｖｉ）エステル基、（ｖｉｉ）アミド基、（ｖｉｉｉ）スルホン基、（ｉｘ）アミン基またはアンモニウム基、（ｘ）ニトリル基、（ｘｉ）ニトロ基、（ｘｉｉ）ヒドロキシ基、（ｘｉｉｉ）シアノ基、（ｘｉｖ）ピリジン基またはピリジニウム基、（ｘｖ）エーテル基、（ｘｖｉ）アルデヒド基、（ｘｖｉｉ）ケトン基、（ｘｖｉｉｉ）カルボニル基、（ｘｉｘ）チオカルボニル基、（ｘｘ）サルフェート基、（ｘｘｉ）スルフィド基、（ｘｘｉｉ）スルホキシド基、（ｘｘｉｉｉ）ホスフィン基またはホスホニウム基、（ｘｘｉｖ）ホスフェート基、（ｘｘｖ）メルカプト基、（ｘｘｖｉ）ニトロソ基、（ｘｘｖｉｉ）アシル基、（ｘｘｖｉｉｉ）酸無水物基、（ｘｘｉｘ）アジド基、（ｘｘｘ）アゾ基、（ｘｘｘｉ）シアナート基、（ｘｘｘｉｉ）イソシアナート基、（ｘｘｘｉｉｉ）チオシアナート基、（ｘｘｘｉｖ）イソチオシアナート基、（ｘｘｘｖ）ウレタン基または（ｘｘｘｖｉ）尿素基から独立に選択され、Ｒ５およびＲ６は、それぞれ中心構造部分のフェニル環に結合してよく、
【化６】
2008189930.tif 000007
であり、
Ｒ８、Ｒ９およびＲ１０は、それぞれ互いに独立に、任意選択として存在し、存在する場合、Ｒ８、Ｒ９およびＲ１０は、それぞれ独立に、（ｉ）水素原子、（ｉｉ）アルキル基、（ｉｉｉ）アリール基、（ｉｖ）アリールアルキル基または（ｖ）アルキルアリール基から選択され、
Ｒ″は、任意選択として存在し、存在する場合、Ｒ′およびＲ″は、それぞれ独立に、（ｉ）アルキル基、（ｉｉ）アリール基、（ｉｉｉ）アリールアルキル基または（ｉｖ）アルキルアリール基から選択され、
Ｒ′またはＲ″の少なくとも１つは、少なくとも約５の炭素原子を含む、化合物である。
【発明を実施するための最良の形態】
【０００９】
本開示は、式
【化７】
2008189930.tif 000008
【化８】
2008189930.tif 000009
【化９】
2008189930.tif 000010
【化１０】
2008189930.tif 000011
【化１１】
2008189930.tif 000012
で表される化合物を目的とする。
【００１０】
Ｒ１、Ｒ２、Ｒ３およびＲ４は、それぞれ互いに独立に、（ｉ）水素原子、（ｉｉ）アルキル基、（ｉｉｉ）アリール基、（ｉｖ）アリールアルキル基または（ｖ）アルキルアリール基である。Ｒ１とＲ２とは一緒になって環を形成してよい。Ｒ３とＲ４とは一緒になって環を形成してよい。Ｒ１、Ｒ２、Ｒ３およびＲ４は、それぞれ中心構造部分のフェニル環に結合してよい。ａおよびｂは、それぞれ互いに独立に、０、１、２または３の整数である。実施態様によっては、ａおよびｂは、それぞれゼロである。
【００１１】
Ｒ５およびＲ６は、それぞれ任意選択として存在し、存在する場合、Ｒ５およびＲ６は、それぞれ互いに独立に、（ｉ）アルキル基、（ｉｉ）アリール基、（ｉｉｉ）アリールアルキル基、（ｉｖ）アルキルアリール基、（ｖ）ハロゲン原子、（ｖｉ）エステル基、（ｖｉｉ）アミド基、（ｖｉｉｉ）スルホン基、（ｉｘ）アミン基またはアンモニウム基、（ｘ）ニトリル基、（ｘｉ）ニトロ基、（ｘｉｉ）ヒドロキシ基、（ｘｉｉｉ）シアノ基、（ｘｉｖ）ピリジン基またはピリジニウム基、（ｘｖ）エーテル基、（ｘｖｉ）アルデヒド基、（ｘｖｉｉ）ケトン基、（ｘｖｉｉｉ）カルボニル基、（ｘｉｘ）チオカルボニル基、（ｘｘ）サルフェート基、（ｘｘｉ）スルフィド基、（ｘｘｉｉ）スルホキシド基、（ｘｘｉｉｉ）ホスフィン基またはホスホニウム基、（ｘｘｉｖ）ホスフェート基、（ｘｘｖ）メルカプト基、（ｘｘｖｉ）ニトロソ基、（ｘｘｖｉｉ）アシル基、（ｘｘｖｉｉｉ）酸無水物基、（ｘｘｉｘ）アジド基、（ｘｘｘ）アゾ基、（ｘｘｘｉ）シアナート基、（ｘｘｘｉｉ）イソシアナート基、（ｘｘｘｉｉｉ）チオシアナート基、（ｘｘｘｉｖ）イソチオシアナート基、（ｘｘｘｖ）ウレタン基または（ｘｘｘｖｉ）尿素基から独立に選択される。Ｒ５およびＲ６は、中心構造部分のフェニル環にそれぞれ結合してよい。
【化１２】
2008189930.tif 000013
である。
【００１２】
Ｒ８、Ｒ９およびＲ１０は、それぞれ互いに独立に、任意選択として存在し、１つ以上が存在する場合、Ｒ８、Ｒ９およびＲ１０は、それぞれ独立に、（ｉ）水素原子、（ｉｉ）アルキル基、（ｉｉｉ）アリール基、（ｉｖ）アリールアルキル基または（ｖ）アルキルアリール基から選択される。
【００１３】
さらに別の実施態様では、Ｒ１＋Ｒ２＋Ｒ３＋Ｒ４＋Ｒ５＋Ｒ６＋Ｒ８＋Ｒ９＋Ｒ１０の炭素原子の数は、少なくとも約４、あるいは別の実施態様では少なくとも約１６である。
【００１４】
Ｒ″は、任意選択として存在し、存在する場合、Ｒ′およびＲ″は、それぞれ独立に、（ｉ）アルキル基、（ｉｉ）アリール基、（ｉｉｉ）アリールアルキル基または（ｉｖ）アルキルアリール基から選択される。Ｒ′またはＲ″は、独立に、直鎖部分または分枝部分、飽和部分または不飽和部分、置換部分または非置換部分、もしくは環状部分から選択される。実施態様によっては、Ｒ′またはＲ″の少なくとも１つは、少なくとも約５個の炭素原子、少なくとも約６個の炭素原子、または少なくとも約１０個の炭素原子を有するワックス単位である。存在する場合、実施態様によっては、Ｒ′またはＲ″は、独立に、約０個の炭素原子（すなわちＲ″は０である）から約８個の炭素原子、約１個の炭素原子から約８個の炭素原子、または約１８個の炭素原子から約１００個の炭素原子、または約１２個の炭素原子、または約１８個の炭素原子、または約３０個の炭素原子、または約５０個の炭素原子、または約１００個の炭素原子を含むアルキル基から選択される。存在する場合、実施態様によっては、Ｒ′またはＲ″は、独立に、約５個の炭素原子、または約６個の炭素原子、または約１０個の炭素原子を含むアリール基から選択される。存在する場合、実施態様によっては、Ｒ′またはＲ″は、独立に、約７個の炭素原子、または約３０個の炭素原子、または約５０個の炭素原子、または約１００個の炭素原子を含むアルキルアリール基またはアリールアルキル基から選択される。一実施態様では、Ｒ′は、約１８個の炭素原子を含み、Ｒ″は、０個の炭素原子である。実施態様によっては、Ｒ′またはＲ″は、例えば、以下、
【化１３】
2008189930.tif 000014
【化１４】
2008189930.tif 000015
のように結合する。
【００１５】
Ａは、アニオンである。
【００１６】
ＣＡは、水素原子またはカチオンのどちらかである。
【００１７】
実施態様によっては、Ａは、アニオンである。適当なアニオンの例は、Ｃｌ−、Ｂｒ−、Ｉ−、ＨＳＯ４−、ＨＳＯ３−、ＳＯ４２−、ＳＯ３２−、ＣＨ３ＳＯ３−、ＣＨ３Ｃ６Ｈ４ＳＯ３−、ＮＯ３−、ＨＣＯＯ−、ＣＨ３ＣＯＯ−、Ｈ２ＰＯ４−、ＨＰＯ４２−、ＳＣＮ−、ＢＦ４−、ＣｌＯ４−、ＳＳＯ３−、ＰＦ６−、ＳｂＣｌ６−または類似物、ならびにそれらの混合物を含む（しかし、限定はされない）。
【００１８】
実施態様によっては、ＣＡは、水素原子またはカチオンのどちらかである。適当なカチオンの例は、Ｌｉ＋、Ｎａ＋、Ｋ＋、Ｒｂ＋およびＣｓ＋などのアルカリ金属カチオン、非重合体カチオンまたは単量体アンモニウムカチオンおよび一般式
【化１５】
2008189930.tif 000016
のカチオンを含む第四アンモニウムカチオンを含む。但し、これに限定されるものではない。
【００１９】
Ｒ２１、Ｒ２２、Ｒ２３およびＲ２４は、それぞれ互いに独立に、（ｉ）水素原子、（ｉｉ）一実施態様では少なくとも１つの炭素原子を有し、別の実施態様では少なくとも約２個の炭素原子を有し、さらに別の実施態様では少なくとも約６個の炭素原子を有し、別の実施態様では少なくとも約８個の炭素原子を有し、さらに別の実施態様では少なくとも約１８個の炭素原子を有し、一実施態様では約５５個を超えない炭素原子を有し、一実施態様では約３０個を超えない炭素原子を有し、一実施態様では約２０個を超えない炭素原子を有するが、炭素原子の数はこれらの範囲外にあってもよいアルキル基（直鎖アルキル基、分枝アルキル基、飽和アルキル基、不飽和アルキル基、環状アルキル基、置換アルキル基および非置換アルキル基を含み、アルキル基の中に、酸素、窒素、硫黄、ケイ素、リンおよび類似元素などのヘテロ原子が存在してよく、あるいは存在しなくてよい）、（ｉｉｉ）一実施態様では少なくとも約６個の炭素原子を有し、別の実施態様では少なくとも約１０個の炭素原子を有し、さらに別の実施態様では少なくとも約１４個の炭素原子を有し、一実施態様では約２６個を超えない炭素原子を有し、別の実施態様では約２２個を超えない炭素原子を有し、さらに別の実施態様では約１８個を超えない炭素原子を有するが、炭素原子の数はこれらの範囲外にあってもよいアリール基（非置換アリール基および置換アリール基を含み、アリール基の中に、酸素、窒素、硫黄、ケイ素、リンおよび類似元素などのヘテロ原子が存在してよく、あるいは存在しなくてよい）、（ｉｖ）一実施態様では少なくとも約７個の炭素原子を有し、別の実施態様では少なくとも約１２個の炭素原子を有し、さらに別の実施態様では少なくとも約１８個の炭素原子を有し、一実施態様では約５５個を超えない炭素原子を有し、別の実施態様では約３０個を超えない炭素原子を有し、さらに別の実施態様では約２０個を超えない炭素原子を有するが、炭素原子の数は、ベンジルまたは類似基のように、これらの範囲外にあってもよいアリールアルキル基（非置換アリールアルキル基および置換アリールアルキル基を含み、アリールアルキル基のアルキル部分は、直鎖、分枝、飽和、不飽和および／または環状であってよく、アリールアルキル基のアルキル部分とアリール部分との一方または両方の中に、酸素、窒素、硫黄、ケイ素、リンおよび類似元素などのヘテロ原子が存在してよく、あるいは存在しなくてよい）または（ｖ）一実施態様では少なくとも約７個の炭素原子を有し、別の実施態様では少なくとも約１２個の炭素原子を有し、さらに別の実施態様では少なくとも約１８個の炭素原子を有し、一実施態様では約５５個を超えない炭素原子を有し、別の実施態様では約３０個を超えない炭素原子を有し、さらに別の実施態様では約２０個を超えない炭素原子を有するが、炭素原子の数は、トルイルまたは類似基のように、これらの範囲外にあってもよいアルキルアリール基（非置換基アルキルアリール基および置換アルキルアリール基を含み、アルキルアリール基のアルキル部分は、直鎖、分枝、飽和、不飽和および／または環状であってよく、アルキルアリール基のアルキル部分とアリール部分との一方または両方の中に、酸素、窒素、硫黄、ケイ素、リンおよび類似元素などのヘテロ原子が存在してよく、あるいは存在しなくてよい）である。Ｒ２１、Ｒ２２、Ｒ２３およびＲ２４の１つ以上が一緒になって環を形成してよい。置換アルキル基、置換アリール基、置換アリールアルキル基および置換アルキルアリール基上の置換基は、ヒドロキシ基、ハロゲン原子、アミン基、イミン基、アンモニウム基、シアノ基、ピリジン基、ピリジニウム基、エーテル基、アルデヒド基、ケトン基、エステル基、アミド基、カルボニル基、チオカルボニル基、サルフェート基、スルホネート基、スルホン酸基、スルフィド基、スルホキシド基、ホスフィン基、ホスホニウム基、ホスフェート基、ニトリル基、メルカプト基、ニトロ基、ニトロソ基、スルホン基、アシル基、酸無水物基、アジド基、アゾ基、シアナート基、イソシアナート基、チオシアナート基、イソチオシアナート基、カルボキシレート基、カルボン酸基、ウレタン基、尿素基、それらの混合物および類似物であってよい（但し、限定はされない）。２つ以上の置換基が一緒になって、カチオン性重合体またはカチオン性オリゴマーなどの環状カチオン、オリゴマーカチオンおよび重合体カチオンおよび類似物、ならびにそれらの混合物を形成してよい。
【００２０】
一実施態様では、Ｒ１＋Ｒ２＋Ｒ３＋Ｒ４の炭素原子の数は、少なくとも約４、別の実施態様では少なくとも約１６、別の実施態様では少なくとも約１８、さらに別の実施態様では少なくとも約２０、さらに別の実施態様では少なくとも約２２、別の実施態様では少なくとも約２４、さらに別の実施態様では少なくとも約２６、さらに別の実施態様では少なくとも約２８、別の実施態様では少なくとも約３０、さらに別の実施態様では少なくとも約３２、さらに別の実施態様では少なくとも約３４、別の実施態様では少なくとも約３６、さらに別の実施態様では少なくとも約３８、さらに別の実施態様では少なくとも約４０、別の実施態様では少なくとも約４２、さらに別の実施態様では少なくとも約４４、さらに別の実施態様では少なくとも約４６、別の実施態様では少なくとも約４８、さらに別の実施態様では少なくとも約５０、さらに別の実施態様では少なくとも約５２、別の実施態様では少なくとも約５４、さらに別の実施態様では少なくとも約５６、さらに別の実施態様では少なくとも約５８、別の実施態様では少なくとも約６０、さらに別の実施態様では少なくとも約６２、さらに別の実施態様では少なくとも約６４、別の実施態様では少なくとも約６６、さらに別の実施態様では少なくとも約６８、さらに別の実施態様では少なくとも約７０、別の実施態様では少なくとも約７２である。
【００２１】
【化１６】
2008189930.tif 000017
であるいくつかの特定の実施態様において、一実施態様では、Ｒ１＋Ｒ２＋Ｒ３＋Ｒ４の炭素原子の数は、少なくとも約４４、さらに別の実施態様では少なくとも約４６、別の実施態様では少なくとも約４８、さらに別の実施態様では少なくとも約５０、また別の実施態様では少なくとも約５２、別の実施態様では少なくとも約５４、さらに別の実施態様では少なくとも約５６、さらに別の実施態様では少なくとも約５８、別の実施態様では少なくとも約６０、さらに別の実施態様では少なくとも約６２、さらに別の実施態様では少なくとも約６４、別の実施態様では少なくとも約６６、さらに別の実施態様では少なくとも約６８、さらに別の実施態様では少なくとも約７０、別の実施態様では少なくとも約７２である。
【００２２】
【化１７】
2008189930.tif 000018
であるいくつかの特定の実施態様において、Ｒ１、Ｒ２、Ｒ３およびＲ４の少なくとも１つは、式、
【化１８】
2008189930.tif 000019
で表される基である。
【００２３】
Ｒ４１およびＲ４２は、それぞれ互いに独立に、（ｉ）一実施態様では少なくとも１個の炭素原子を有し、別の実施態様では少なくとも約２個の炭素原子を有し、一実施態様では約５５個を超えない炭素原子を有し、別の実施態様では約３０個を超えない炭素原子を有し、さらに別の実施態様では約２０個を超えない炭素原子を有するが、炭素原子の数はこれらの範囲外にあってもよいアルキル基（直鎖アルキル基、分枝アルキル基、飽和アルキル基、不飽和アルキル基、環状アルキル基、置換アルキル基および非置換アルキル基を含み、アルキル基の中に、酸素、窒素、硫黄、ケイ素、リンおよび類似元素などのヘテロ原子が存在してよく、あるいは存在しなくてよい）、（ｉｉ）一実施態様では少なくとも約６個の炭素原子を有し、一実施態様では約２６個を超えない炭素原子を有し、別の実施態様では約２２個を超えない炭素原子を有し、さらに別の実施態様では約１８個を超えない炭素原子を有するが、炭素原子の数はこれらの範囲外にあってもよいアリール基（非置換アリール基および置換アリール基を含み、アリール基の中に、酸素、窒素、硫黄、ケイ素、リンおよび類似元素などのヘテロ原子が存在してよく、あるいは存在しなくてよい）、（ｉｉｉ）一実施態様では少なくとも約７個の炭素原子を有し、一実施態様では約５５個を超えない炭素原子を有し、別の実施態様では約３０個を超えない炭素原子を有し、さらに別の実施態様では約２０個を超えない炭素原子を有するが、炭素原子の数は、ベンジルまたは類似基のように、これらの範囲外にあってもよいアリールアルキル基（非置換アリールアルキル基および置換アリールアルキル基を含み、アリールアルキル基のアルキル部分は、直鎖、分枝、飽和、不飽和および／または環状であってよく、アリールアルキル基のアルキル部分とアリール部分との一方または両方の中に、酸素、窒素、硫黄、ケイ素、リンおよび類似元素などのヘテロ原子が存在してよく、あるいは存在しなくてよい）または（ｉｖ）一実施態様では少なくとも約７個の炭素原子を有し、一実施態様では約５５個を超えない炭素原子を有し、別の実施態様では約３０個を超えない炭素原子を有し、さらに別の実施態様では約２０個を超えない炭素原子を有し、炭素原子の数は、トリルまたは類似基のように、これらの範囲外にあってよいアルキルアリール基（非置換アルキルアリール基および置換アルキルアリール基を含み、アルキルアリール基のアルキル部分は、直鎖、分枝、飽和、不飽和および／または環状であってよく、アルキルアリール基のアルキル部分とアリール部分との一方または両方の中に酸素、窒素、硫黄、ケイ素、リンおよび類似元素などのヘテロ原子が存在してよく、あるいは存在しなくてよい）である。Ｒ４１とＲ４２との１つ以上が一緒になって環を形成してよい。置換アルキル基、置換アリール基、置換アリールアルキル基および置換アルキルアリール基上の置換基は、ヒドロキシ基、ハロゲン原子、アミン基、イミン基、アンモニウム基、シアノ基、ピリジン基、ピリジニウム基、エーテル基、アルデヒド基、ケトン基、エステル基、アミド基、カルボニル基、チオカルボニル基、サルフェート基、スルホネート基、スルホン酸基、スルフィド基、スルホキシド基、ホスフィン基、ホスホニウム基、ホスフェート基、ニトリル基、メルカプト基、ニトロ基、ニトロソ基、スルホン基、アシル基、酸無水物基、アジド基、アゾ基、シアナート基、イソシアナート基、チオシアナート基、イソチオシアナート基、カルボキシレート基、カルボン酸基、ウレタン基、尿素基、それらの混合物および類似物であってよい（しかし限定はされない）。２つ以上の置換基が一緒になって、カチオン性重合体またはカチオン性オリゴマーなどの環状カチオン、オリゴマーカチオンおよび重合体カチオンおよび類似物、ならびにそれらの混合物を形成してよい。
【００２４】
【化１９】
2008189930.tif 000020
であるいくつかの特定の実施態様において、Ｒ１、Ｒ２、Ｒ３およびＲ４の少なくとも１つは、一実施態様では少なくとも約１９個の炭素原子、別の実施態様では少なくとも約２０個の炭素原子を有する分枝アルキル基である。
【００２５】
アルキル基、アリール基、アリールアルキル基およびアルキルアリール基の中にヘテロ原子が含まれていてよく、これらの基は置換されていてよいので、これらの基の酸素原子が中心構造部分
【化２０】
2008189930.tif 000021
の中の窒素原子、酸素原子または硫黄原子に直接結合しなければ、Ｒ１、Ｒ２、Ｒ３、Ｒ４、Ｒ５、Ｒ６、Ｒ８、Ｒ９およびＲ１０は、アルコキシ基、ポリアルキレンオキシ基、アリールオキシ基、ポリアリーレンオキシ基、アリールアルキルオキシ基、ポリアリールアルキレンオキシ基、アルキルアリールオキシ基またはポリアルキルアリーレンオキシ基などの基でもあってよいと理解するべきである。
【００２６】
Ｒ１〜Ｒ４基の１つがシクロアルキルである状況の例は、
【化２１】
2008189930.tif 000022
【化２２】
2008189930.tif 000023
のときである。
【００２７】
Ｒ１〜Ｒ４基が一緒になって環を形成する状況の例は、
【化２３】
2008189930.tif 000024
のときである。
【００２８】
Ｒ１〜Ｒ４基の１つが中心構造部分のフェニル環に結合している状況の例は、
【化２４】
2008189930.tif 000025
のときである。
【００２９】
本開示による化合物は、
【化２５】
2008189930.tif 000026
であり、一般式
【化２６】
2008189930.tif 000027
【化２７】
2008189930.tif 000028
【化２８】
2008189930.tif 000029
で表されるローダミン類、
【化２９】
2008189930.tif 000030
であり、一般式
【化３０】
2008189930.tif 000031
で表されるアクリジン類、
【化３１】
2008189930.tif 000032
であり、一般式
【化３２】
2008189930.tif 000033
で表されるスルホローダミン類、
【化３３】
2008189930.tif 000034
であり、一般式
【化３４】
2008189930.tif 000035
で表されるアントラセン類および類似化合物を含む。
【００３０】
特定の実施態様では、アニオンＡは、式Ａ１−Ｒ１１−Ａ２で表される有機ジアニオンであってよい。Ａ１およびＡ２は、それぞれ互いに独立に、カルボキシレート、スルホネートまたは類似基などのアニオン基である。Ｒ１１は、（ｉ）一実施態様では少なくとも１つの炭素原子を有し、別の実施態様では少なくとも約２個の炭素原子を有し、さらに別の実施態様では少なくとも約６個の炭素原子を有し、別の実施態様では少なくとも約８個の炭素原子を有し、さらに別の実施態様では少なくとも約１８個の炭素原子を有し、一実施態様では約５５個を超えない炭素原子を有し、別の実施態様では約３０個を超えない炭素原子を有し、さらに別の実施態様では約２０個を超えない炭素原子を有するが、炭素原子の数はこれらの範囲外にあってもよいアルキレン基（直鎖アルキレン基、分枝アルキレン基、飽和アルキレン基、不飽和アルキレン基、環状アルキレン基、置換アルキレン基および非置換アルキレン基を含み、アルキレン基の中に、酸素、窒素、硫黄、ケイ素、リンおよび類似元素などのヘテロ原子が存在してよく、あるいは存在しなくてよい）、（ｉｉ）一実施態様では少なくとも約６個の炭素原子を有し、別の実施態様では少なくとも約１０個の炭素原子を有し、さらに別の実施態様では少なくとも約１４個の炭素原子を有し、一実施態様では約２６個を超えない炭素原子を有し、別の実施態様では約２２個を超えない炭素原子を有し、さらに別の実施態様では約１８個を超えない炭素原子を有するが、炭素原子の数はこれらの範囲外にあってもよいアリーレン基（非置換アリーレン基および置換アリーレン基を含み、アリーレン基の中に、酸素、窒素、硫黄、ケイ素、リンおよび類似元素などのヘテロ原子が存在してよく、あるいは存在しなくてよい）、（ｉｉｉ）一実施態様では少なくとも約７個の炭素原子を有し、別の実施態様では少なくとも約１２個の炭素原子を有し、さらに別の実施態様では少なくとも約１８個の炭素原子を有し、一実施態様では約５５個を超えない炭素原子を有し、別の実施態様では約３０個を超えない炭素原子を有し、さらに別の実施態様では約２０個を超えない炭素原子を有するが、炭素原子の数は、ベンジルまたは類似基のように、これらの範囲外にあってもよいアリールアルキレン基（非置換アリールアルキレン基および置換アリールアルキレン基を含み、アリールアルキレン基のアルキレン部分は直鎖、分枝、飽和、不飽和および／または環状であってよく、アリールアルキレン基のアルキレン部分とアリール部分との一方または両方の中に、酸素、窒素、硫黄、ケイ素、リンおよび類似元素などのヘテロ原子が存在してよく、あるいは存在しなくてよい）または（ｉｖ）一実施態様では少なくとも約７個の炭素原子を有し、別の実施態様では少なくとも約１２個の炭素原子を有し、さらに別の実施態様では少なくとも約１８個の炭素原子を有し、一実施態様では約５５個を超えない炭素原子を有し、別の実施態様では約３０個を超えない炭素原子を有し、さらに別の実施態様では約２０個を超えない炭素原子を有するが、炭素原子の数は、トリルまたは類似基のように、これらの範囲外にあってもよいアルキルアリーレン基（非置換アルキルアリーレン基および置換アルキルアリーレン基を含み、アルキルアリーレン基のアルキル部分は直鎖、分枝、飽和、不飽和および／または環状であってよく、アリールアルキレン基のアルキル部分とアリーレン部分との一方または両方の中に、酸素、窒素、硫黄、ケイ素、リンおよび類似元素などのヘテロ原子が存在してよく、あるいは存在しなくてよい）である。置換アルキレン基、置換アリーレン基、置換アリールアルキレン基および置換アルキルアリーレン基上の置換基は、ヒドロキシ基、ハロゲン原子、アミン基、イミン基、アンモニウム基、シアノ基、ピリジン基、ピリジニウム基、エーテル基、アルデヒド基、ケトン基、エステル基、アミド基、カルボニル基、チオカルボニル基、サルフェート基、スルホネート基、スルホン酸基、スルフィド基、スルホキシド基、ホスフィン基、ホスホニウム基、ホスフェート基、ニトリル基、メルカプト基、ニトロ基、ニトロソ基、スルホン基、アシル基、酸無水物基、アジド基、アゾ基、シアナート基、イソシアナート基、チオシアナート基、イソチオシアナート基、カルボキシラート基、カルボン酸基、ウレタン基、尿素基、それらの混合物、および類似物であってよい（しかし限定はされない）。２つまたはそれ以上の置換基が一緒になって環を形成してよい。適当な有機ジアニオンの例は、非置換ナフタレンジスルホネートおよび置換ナフタレンジスルホネート、非置換ベンゼンジスルホネートおよび置換ベンゼンジスルホネートおよび類似ジアニオン、ならびにそれらの混合物を含む。
【００３１】
別の特定の実施態様では、アニオンＡは、有機トリアニオン、有機テトラアニオンおよびペンタアニオン以上のポリアニオン、オリゴマーアニオン、およびポリスルホネートまたはポリカルボキシレートまたは類似物などの重合体アニオンであってよい。
【００３２】
一実施態様では、本開示による着色剤は、式、
【化３５】
2008189930.tif 000036
【化３６】
2008189930.tif 000037
【化３７】
2008189930.tif 000038
【化３８】
2008189930.tif 000039
【化３９】
2008189930.tif 000040
で表される。
【００３３】
１つの特定の実施態様では、本開示による着色剤は、式
【化４０】
2008189930.tif 000041
で表される。
【００３４】
ｎは、７である。
【００３５】
上記の式には、これらの着色剤について考えられるすべての互変異性体が含まれると理解するべきである。
【００３６】
本開示の着色剤は、任意の望ましい手順または有効な手順によって調製してよい。例えば、式
【化４１】
2008189930.tif 000042
で表され、本明細書において定義される望ましいＲ′基を有する無水コハク酸の共重合体を、式
【化４２】
2008189930.tif 000043
で表され、望ましいＲ１、Ｒ２、Ｒ３およびＲ４基等を有する１つ以上のアミノフェノール（例えば、アルドリッチケミカル社(Aldrich Chemical Corp.)から入手可能なＮ，Ｎ−ジエチルアミノフェノール、ＭＷ＝１６５）と混合し、ニートで、あるいは任意選択として溶媒の存在下で加熱した後、酸、例えば濃Ｈ２ＳＯ４を加え、さらに加熱してよい。Ｒ１、Ｒ２、Ｒ３およびＲ４基等は、本明細書において着色剤用に定義したように選択する。
【００３７】
無水コハク酸共重合体とアミノフェノールとは、任意の望ましい相対量または有効な相対量、一実施態様では２モルのアミノフェノールあたり少なくとも約０．５モルの無水コハク酸共重合体、別の実施態様では２モルのアミノフェノールあたり少なくとも約０．９モルの無水コハク酸共重合体、さらに別の実施態様では２モルのアミノフェノールあたり少なくとも約１モルの無水コハク酸共重合体、一実施態様では２モルのアミノフェノールあたり約１．９モルを超えない無水コハク酸共重合体、別の実施態様では２モルのアミノフェノールあたり約１．５モルを超えない無水コハク酸共重合体、さらに別の実施態様では２モルのアミノフェノールあたり約１．１モルを超えない無水コハク酸共重合体を存在させるが、相対量はこれらの範囲外にあってもよい。
【００３８】
望むなら、反応は、ニートで、すなわち溶媒非存在下で実行してよい。さらに、望むなら、反応は、任意選択の溶媒の存在下で実行してよい。適当な溶媒の例は、テトラメチレンスルホン（スルホラン）、Ｎ−メチルピロリドン、ジメチルホルムアミド、ジメチルスルホキシド、オクタノールまたは類似物、ならびそれらの混合物を含む。存在する場合、任意選択の溶媒は、任意の望ましい量または有効な量、一実施態様では０．１モルの無水コハク酸共重合体あたり少なくとも約１リットル、別の実施態様では０．３モルの無水コハク酸共重合体あたり少なくとも約１リットル、さらに別の実施態様では０．３５モルの無水コハク酸共重合体あたり少なくとも約１リットル、一実施態様では２モルの無水コハク酸共重合体あたり約１リットルを超えない、別の実施態様では、１．５モルの無水コハク酸共重合体あたり約１リットルを超えない、さらに別の実施態様では１モルの無水コハク酸共重合体あたり約１リットルを超えない量を存在させるが、相対量はこれらの範囲外にあってもよい。
【００３９】
次に、無水コハク酸共重合体、アミノフェノールおよび任意選択の溶媒の混合物を、任意の有効な温度、一実施態様では少なくとも約６２℃、別の実施態様では少なくとも約１５０℃、さらに別の実施態様では少なくとも約１９０℃、一実施態様では約２８０℃を超えない温度、別の実施態様では約２２０℃を超えない温度、さらに別の実施態様では約２００℃を超えない温度に加熱するが、温度はこれらの範囲外にあってもよい。
【００４０】
無水コハク酸共重合体、アミノフェノールおよび任意選択の溶媒の混合物を、任意の有効な時間、一実施態様では少なくとも約５分、別の実施態様では少なくとも約２時間、さらに別の実施態様では少なくとも約３時間、一実施態様では４日を超えない時間、別の実施態様では約６０時間を超えない時間、さらに別の実施態様では約４０時間を超えない時間加熱するが、時間はこれらの範囲外にあってもよい。
【００４１】
次に、酸を加え、混合物を任意の有効な温度、一実施態様では少なくとも約６２℃、別の実施態様では少なくとも約１５０℃、さらに別の実施態様では少なくとも約１９０℃、一実施態様では約２８０℃を超えない温度、別の実施態様では約２２０℃を超えない温度、さらに別の実施態様では約２００℃を超えない温度に加熱するが、温度はこれらの範囲外にあってもよい。
【００４２】
無水コハク酸共重合体、アミノフェノール、任意選択の溶媒および酸の混合物を、任意の有効な時間、一実施態様では少なくとも約５分、別の実施態様では少なくとも約１時間、別の実施態様では少なくとも約２時間、さらに別の実施態様では少なくとも約３時間、一実施態様では４日を超えない時間、別の実施態様では約６０時間を超えない時間、さらに別の実施態様では約４０時間を超えない時間加熱するが、時間はこれらの範囲外にあってもよい。
【００４３】
結果として得られる生成物は、望むなら、メタノール、メチルイソブチルケトン、トルエン、ヘキサン、ヘプタンまたは類似物など、生成物に対しては可溶性もしく相溶性であるが、望ましくない塩副生物に対しては可溶性でない、非水溶性および非水相溶性の有機溶媒中に反応混合物を注入した後、生成物を含む溶媒を分液ロートの中で水と混合し、水相と有機相とを分離することによって、精製してよい。
【００４４】
望むなら、次に、粗生成物をＥＤＴＡ水溶液で洗浄して金属塩を除去した後、水で洗浄することによってさらに精製してよい。望むなら、滴定法、あるいはＡＡ（原子吸光法）またはＩＣＰ（誘導結合プラズマ法）などの機器技法を行って金属塩が完全に除去されたか判定してよい。精製された生成物は、溶媒をすべて留去することによって単離してよい。
【００４５】
任意の望ましい方法または有効な方法によって、本発明の着色剤の環にさまざまな置換基を配置してよい。
【実施例】
【００４６】
実施例１．
テフロン（登録商標）被覆磁気撹拌子、コンデンサおよび油浴を備えた１００ミリリットルのビーカーに、式
【化４３】
2008189930.tif 000044
で表されるオクタデシル無水コハク酸（ＭＷ３５２）９．４グラムと、式
【化４４】
2008189930.tif 000045
で表されるＮ，Ｎ−ジブチルフェノール（ＴＣＩアメリカ社（TCI America）から入手可能なＭＷ２２１のアミノフェノール）１１．８グラムとを入れた。
【００４７】
ビーカーを１６０℃の油浴の中に置き、撹拌を開始した。数分後、ビーカーの内容物は赤く着色し始めた。１６０℃で１時間後、約１．１４グラムの濃硫酸を０．４３グラムの水とともに滴下して加えた。さらに２０分間加熱した後、内容物を０．８グラムのＮａＯＨと８８グラムの水を含む水酸化ナトリウム溶液に注入した。油状の生成物が沈殿した。約１００ミリリットルの塩化メチレンを内容物に加えて生成物を水から抽出した。次に、塩化メチレン層をシリカゲル充填層に通した。染料はゲルに強く吸着し、褐色から淡紅色の溶媒が充填層を通過した。メタノールを流して着色分をプラグから溶出させた。次に、メタノールを蒸発させ、マゼンタ色のワックス状固体を得た。この着色剤の双性イオン形は、式
【化４５】
2008189930.tif 000046
で表されると考えられる。
【００４８】
他の合成プロセスも用いてよい。
【００４９】
実施例２．
テフロン（登録商標）被覆磁気撹拌子、コンデンサおよび油浴を備えた１００ミリリットルのビーカーに、式
【化４６】
2008189930.tif 000047
で表されるオクタデセニル無水コハク酸（ＭＷ３５２、ハンフリーケミカル社(Humphry Chemical Co.)から入手可能）１９．９グラムと、式
【化４７】
2008189930.tif 000048
で表されるＮ，Ｎ−ジブチルフェノール（ＭＷ２２１、ＴＣＩアメリカ社から入手可能）２５グラムとを入れた。
【００５０】
ビーカーを１５０℃の油浴の中に置き、撹拌を開始した。数分後、ビーカーの内容物は赤く着色し始めた。１５０℃で１時間後、約２．８５グラムの濃硫酸と１．１グラムの水とを含む溶液を滴下して加えた。さらに２０分間加熱した後、２．２グラムのＮａＯＨと２２０グラムの水を含む水酸化ナトリウム溶液中に内容物を注入した。油状の生成物が沈殿した。約１００ミリリットルのトルエンを内容物に加えて生成物を水から抽出した。トルエン層を分液ロートに移し、水で洗浄した後、シリカゲルの充填層に流した。染料はゲルに強く吸着し、褐色から淡紅色の溶媒が充填層を通過した。メタノールを用いて着色物をプラグから溶出させた。次に、溶媒を蒸発させてマゼンタ色のワックス状固体を得た。この着色剤の双性イオン形は、式
【化４８】
2008189930.tif 000049
で表されると考えられる。
【００５１】
実施例３．
テフロン（登録商標）被覆磁気撹拌子、コンデンサおよび油浴を備えた２００ミリリットルのビーカーに、式
【化４９】
2008189930.tif 000050
で表されるポリイソブチレン系無水コハク酸（鉱油５０％までのＯＬＯＡ１５５００の画分、ＭＷ１０００、シェブロンオロナイト社(Chevron Oronite Co. LLC)から入手可能）１００グラムを入れた。
【００５２】
ｎは、７である。ビーカーを１３０℃の油浴の中に置き、撹拌を開始した。ＯＬＯＡ１５５００が適当な温度、すなわち約１３０℃になってから磁気撹拌子を用いて撹拌を開始した。数分後、式
【化５０】
2008189930.tif 000051
で表されるＮ，Ｎ−ジブチルフェノール（ＭＷ２２１、ＴＣＩアメリカから入手可能）約２２グラムをビーカーに加え、油浴の温度を１５０℃に上げた。約１５分後、ビーカーの内容物は赤く着色し始め、最終的には非常に濃いマゼンタ色になった。内容物を１５０℃に加熱し、約２．５時間撹拌した。約２．５時間後、４．６グラムのＨ２ＳＯ４を加え（激しい泡立ちが見られた）、さらに１５分間内容物を撹拌し、最後に７００ミリリットルのメタノールを含む１リットルのビーカー中に注入して急冷した。デカンテーションによってメタノールを除き、粘稠なマゼンタ色の油の生成物を得た。この着色剤の双性イオン形は、式
【化５１】
2008189930.tif 000052
で表されると考えられる。ｎは、７である。
【００５３】
実施例４．
以下の成分を溶融させ、混合し、ろ過することによってインク基材を調製した。
【００５４】
式ＣＨ３（ＣＨ２）５０ＣＨ３のポリエチレンワックス（ＰＥ６５５（登録商標）、ベーカーペトロライト(Baker Petrolite)から入手）４３．５９重量部。
【００５５】
ステアリルステアラミドワックス（ケマミド（登録商標）(KEMAMID)Ｓ−１８０、クロンプトン(Crompton)社から入手）１９．０８重量部。
【００５６】
１当量のＣ−３６二量体酸（デラウェア州ニューキャッスル(New Castle, DE)のユニケマ(Uniqema)から入手）と２当量のエチレンジアミン、および米国特許第６，１７４，９３７号の実施例１に記載されているとおりに調製した、末端カルボン酸基を有する長鎖炭化水素ユニシド(UNICID)（登録商標）７００（ベーカーペトロライトから入手）との反応によって得たテトラアミド樹脂１８．９４重量部。
【００５７】
２当量のアビトール(ABITOL)（登録商標）Ｅヒドロアビエチルアルコール（ハーキュリーズ(Hercules)社から入手）と米国特許第５，７８２，９６６の実施例１に記載されているとおりに調製した１当量のイソホロンジイソシアネートとの反応によって得たウレタン樹脂１１．７１重量部。
【００５８】
３当量のステアリルイソシアネートと、米国特許第６，３０９，４５３号の実施例４に記載されているとおりに調製したグリセロール系アルコールとの付加体であるウレタン樹脂６．４８重量部。
【００５９】
ナウガード(NAUGUARD)（登録商標）４４５酸化防止剤（ユニロイヤルケミカル社(Uniroyal Chemical Co.)から入手した）０．２０重量部。
【００６０】
その後、上記に列挙した百分率の、上記に列挙したインクキャリア成分６００グラムを、１リットルのビーカーに加え、オーブンの中で溶融するまで１３５℃に加熱した。続いて、このビーカーをマントルヒーターに入れて１３５℃に設定し、ビーカーの内容物を４５分間撹拌した。その結果得られたインクを、次に、ワットマンの３号と０．２ミクロンＮＡＥフィルタとの組み合わせを通してろ過し、モット(Mott)フィルタアセンブリの中に入れた。フルーカヘミカ社(Fluka Chemika)から入手したフィルタエイド(FILTER−AID)を１重量パーセント添加してろ過を促進し、６時間後に完了するまで１３５℃の温度で続行した。約３１グラムの無色のインク基材を含むインク基材を型に注入して放冷した。
【００６１】
実施例５．
磁気撹拌子を有する１００ミリリットルのビーカーの中に、実施例４のインク基材約３０．０グラムを入れ、続いて１３５℃の油浴の中に溶融するまで置いた。次に、実施例１の生成物約２．０グラムを加え、約３時間撹拌した。次に、マゼンタ色の着色剤をアルミニウム金型の中に注入した。実施例２および３の生成物についても、このプロセスを同じ量で繰り返した。
【００６２】
実施例６．
Ｋ印刷試験機(K Printing Proofer)（イギリス、ＳＧ８  ０ＯＺ，ヘリス(Heris)、ロイストン(Royston)、リトリントン(Litlington)のＰＫプリントコートインスツルメント社(PK Print Coat Instrument Ltd.)製）を用いて、実施例５で調製したインクの印刷標本をハンマーミル（HAMMERMILL）レーザ印刷紙上に作製した。この方法では、１５０℃の温度に設定した印刷版上で被検インクを溶融させた。次に、溶融したインクを表面に含む版の上で、上記の紙を巻いたローラーバーを回転させた。紙の上のインクを冷却し、３つの分離された矩形ブロックの画像を得た。最も強く着色したブロックは、紙の上に塗布されたインクを最も多く含んでいたので、明度測定値を得るために用いた。目視によって印刷標本を評価した。